(57)【要約】      （修正有）【課題】意匠性を犠牲にすることのない構造を有し、ローアングル撮影時などに有用である、表示部を約１８０°まで容易に回動して使用が可能な撮像装置を提供する。【解決手段】撮像装置本体２と、該撮像装置本体に接続されたヒンジ８と、該ヒンジを介してスライド可能かつ回動可能に前記撮像装置本体に設けられた表示部３とを備える。【選択図】図１
2014045314.tif 000002
【特許請求の範囲】
【請求項１】
撮像装置本体と、
該撮像装置本体に接続されたヒンジと、
該ヒンジを介してスライド可能かつ回動可能に前記撮像装置本体に設けられた表示部とを備える撮像装置。
【請求項２】
前記ヒンジの一端側に接続された基体を更に備え、
前記表示部は前記基体上をスライドする
請求項１に記載の撮像装置。
【請求項３】
前記撮像装置本体は、前記表示部の回動時に前記表示部の端部が摺接する保護部を更に備える
請求項１に記載の撮像装置。
【請求項４】
前記表示部は、前記端部が前記保護部に摺接することにより、前記基体上をスライドする
請求項３に記載の撮像装置。
【請求項５】
前記撮像装置本体は、回動前の前記表示部の外面に対して傾斜する傾斜面を有し、
前記保護部が該傾斜面に設けられている
請求項３に記載の撮像装置。
【請求項６】
前記ヒンジの回動中心が一軸である
請求項１に記載の撮像装置。
【請求項７】
前記ヒンジの軸を、摩擦を有するように挟持する挟持部を更に備える
請求項１に記載の撮像装置。
【請求項８】
前記保護部の端面に当接する当接部を更に備える
請求項３に記載の撮像装置。
【請求項９】
前記ヒンジは伸縮可能である
請求項１に記載の撮像装置。
【発明の詳細な説明】
【技術分野】
【０００１】
本技術は、撮像装置に関する。
【背景技術】
【０００２】
撮像する際に撮像対象である被写体が表示されるディスプレイを、ユーザの任意の角度に調節することのできる撮像装置がある。
【０００３】
例えばバリアングルディスプレイと撮像装置本体との間の隙間をできるだけ小さくしつつ、ディスプレイのスムーズな開閉を可能にし、外観上の品位を高めた撮像装置が知られている（特許文献１参照。）。
【先行技術文献】
【特許文献】
【０００４】
【特許文献１】特開２００９−０１７４２１号公報
【発明の概要】
【発明が解決しようとする課題】
【０００５】
しかしながら、特許文献１に記載された撮像装置は、ディスプレイが９０°程度までしか開かないものである。ディスプレイが９０°程度まで開く撮像装置としては、ローアングルでの撮像用にディスプレイを開閉可能にした撮像装置も知られているが、１８０°程度まで容易に開くものが求められている。
【０００６】
したがって、本技術の目的は、表示部を容易に約１８０°まで回動可能であり、意匠性を犠牲にすることのない構造を有する撮像装置を提供することにある。
【課題を解決するための手段】
【０００７】
上述の課題を解決するために、本技術は、撮像装置本体と、撮像装置本体に接続されたヒンジと、ヒンジを介してスライド可能かつ回動可能に撮像装置本体に設けられた表示部とを備える撮像装置である。
【０００８】
また、ヒンジの一端側に接続された基体を更に備え、表示部は基体上をスライドすることが好ましい。更に、撮像装置本体は、表示部の回動時に表示部の端部が摺接する保護部を更に備えることも好ましい。表示部は、その端部が保護部に摺接することにより、基体上をスライドすることが好ましい。また、撮像装置本体は、回動前の表示部の外面に対して傾斜する傾斜面を有し、保護部が傾斜面に設けられていることも好ましい。保護部の端面に当接する当接部を更に備えることが好ましい。
【０００９】
更に、ヒンジの回動中心が一軸である態様、ヒンジの軸を、摩擦を有するように挟持する挟持部を更に備える態様、及び、ヒンジが伸縮可能である態様なども好適例として挙げることができる。
【発明の効果】
【００１０】
本技術によれば、表示部が回動可能かつスライド可能であるので、表示部を容易に約１８０°まで開くことのできる撮像装置を提供することができる。更に、本技術によれば、簡便な構造によって表示部を約１８０°まで開くことができるようになっているので、大きなヒンジなどを組み込む必要が無く、意匠性を犠牲にすることのない撮像装置を提供することができる。
【図面の簡単な説明】
【００１１】
【図１】図１Ａは、本技術に係る撮像装置の一実施形態の初期状態を示す外観図である。図１Ｂは、図１Ａにおける表示部側からの平面図である。図１Ｃは、図１Ａ及び図１Ｂに示した表示部の部分拡大斜視図である。
【図２】図２Ａは、表示部を回動した撮像装置の一例を示す外観図である。図２Ｂは、図２Ａの部分拡大図である。
【図３】図３Ａは、表示部を回動した撮像装置の一例を示す外観図である。図３Ｂは、図３Ａの部分拡大図である。
【図４】図４Ａは、表示部を回動した撮像装置の一例を示す外観図である。図４Ｂは、図４Ａの部分拡大図である。
【図５】図５Ａは、表示部を回動した撮像装置の一例を示す外観図である。図５Ｂは、図５Ａの部分拡大図である。
【図６】図６Ａは、表示部のスライド前を示す概略図である。図６Ｂは、表示部のスライド後を示す概略図である。
【図７】図７Ａは、本技術に係る撮像装置に付設する挟持部の一例を示す斜視図である。図７Ｂは、図７Ａの部分拡大図である。
【図８】図８Ａは、表示部を回動する前の撮像装置の一例を示す断面図である。図８Ｂは、表示部を回動した後の撮像装置の一例を示す断面図である。
【図９】図９は、本技術に係る撮像装置の他の実施形態の回動完了状態を示す断面図である。
【図１０】図１０Ａ〜１０Ｄは、ハイアングルでの撮像が可能な状態から自分撮りが可能な状態に移行する操作工程図である。
【図１１】図１１Ａは、伸縮可能なヒンジを備える撮像装置の一例を示す部分拡大図である。図１１Ｂは、図１１Ａの表示部がスライドした状態の部分拡大図である。
【発明を実施するための形態】
【００１２】
以下、本技術の実施の形態について図面を参照しながら説明する。ただし、本技術は以下の実施の形態のみに限定されるものではない。なお、説明は以下の順序で行う。
＜１．実施の形態＞
［１−１．用語の定義］
［１−２．撮像装置の構成］
［１−３．自分撮り可能状態への移行操作］
＜２．変形例及び応用例＞
【００１３】
＜１．実施の形態＞
［１−１．用語の定義］
先ず、本技術に係る撮像装置の構成についての説明の前に、本明細書で用いる用語を定義する。
【００１４】
「撮像」とは、撮像装置において、撮像素子が像を表す光を受光して電気信号に変換することを意味する。また、「画枠」とは、撮像素子の有効領域により撮像される全領域又は全領域よりも若干小さい領域を意味する。「自分撮り」とは、ユーザが撮像装置のレンズを自分自身に向けて、自らを被写体として撮像することである。なお、自分撮りの被写体としては、ユーザ単独の場合に限らず、ユーザを含めた複数人が被写体となる場合も含むこととする。更に、「初期状態」とは、表示部を回動及びスライドさせていない状態であり、かつ、ユーザが被写体に相対して通常の撮像をすることのできる状態である。
【００１５】
［１−２．撮像装置の構成］
図１は、本技術に係る撮像装置の一実施形態を示す図である。
【００１６】
図１Ａに示すように、撮像装置１は、撮像装置本体２と表示部３とヒンジ（図１には図示せず。）とを備えている。撮像装置本体２と表示部３とは、ヒンジを介して接続されている。なお、ヒンジについては、自分撮り可能状態への移行操作の説明と共に後述する。なお、図１Ｂは、図１Ａの表示部３側からの撮像装置１の平面図である。また、図１Ｃは、図１Ａ及び図１Ｂに示した表示部３の一部拡大図である。
【００１７】
撮像装置本体２は、略直方体状に形成され、その内部には適宜の操作に応じた信号処理を行う回路などが設けられている。撮像装置本体２には、保護部４、操作ボタン５１、５２、５３、５４及び５５、レンズユニットＬが設けられている。
【００１８】
操作ボタン５１〜５５には、撮像装置１の状態に応じて様々な機能がそれぞれ割り当てられる。各操作ボタンに対する種々の機能の割り当てについては特に制限されず、例えばオートフォーカス、被写体検出用の検出指示、リレーズ指示入力、電源のオン／オフ、撮影モードの切り替え、ズーム倍率切り替え、表示部３に表示される画面の選択項目の移動、フラッシュのオン／オフ、及びシャッターなどの機能を適宜割り振ればよい。
【００１９】
例えば、操作ボタン５１にオートフォーカス、被写体検出用の検出指示、リレーズ指示入力の機能が割り当てられた場合、操作ボタン５１の押下方法に応じて作動させる機能を分けることができる。例えば、操作ボタン５１を途中まで押下、つまり半押し状態にすることにより検出指示が入力され、操作ボタン５１を完全に押下、つまり全押し状態にすることによりレリーズ指示が入力されるように設定することができる。
【００２０】
撮像装置本体２の表面に設けられた保護部４は凸形状を成す畝様の部位であり、レンズユニットＬ側から表示部３側、つまり図１Ａにおける左側から右側にかけて高さが大きくなるように形成されている。なお、回動前の表示部３の外面、換言すると初期状態の表示部３の画面などの端面に対して傾斜する面であって、撮像装置本体２の一部を形成する傾斜面Ｓに、保護部４は設けられている。傾斜面Ｓに保護部４を設ける実施形態は、傾斜面ではない端面に設ける形態に比べて、撮像装置本体２の表面における突起物が目立ちにくいので、撮像装置１全体の意匠性を犠牲にすることがないので好ましい。
【００２１】
表示部３は、略平板状に構成されており、ヒンジを介して撮像装置本体２に対してスライド可能かつ回動可能に、撮像装置本体２に取り付けられている。表示部３は、撮像装置１の初期状態における撮像時にユーザに相対する面に、ＬＣＤ（Liquid Crystal Display）、ＰＤＰ（Plasma Display Panel）、有機ＥＬ（Electro Luminescence）パネルなどの様々な画像が表示される部材が設けられる。表示部３は、ユーザに対して種々の情報を視認せしめる部材である。表示部３に表示される情報としては、スルー画、撮像により得られた画像、ユーザインターフェース画像などを挙げることができる。
【００２２】
表示部３は指かけ部６及び摺接部７を有している。図１Ｃは、表示部３の指かけ部６及び摺接部７を示す部分拡大図である。指かけ部６は、ハイアングルでのスルー画を確認しつつ撮像を行うために表示部３を傾斜させることを目的として、ユーザが指をかけることができるように形成された凸部である。摺接部７は、後述の表示部３の回動操作を行う際に、保護部４に摺接する部位であり、凸部として形成されている。なお、指かけ部６及び摺接部７は、それぞれ独立した部材として表示部３に取り付けても良く、有機ＥＬパネルなどの画面を囲繞するように形成される樹脂成形体と一体成形しても良い。
【００２３】
撮像装置本体２の保護部４及び表示部３の摺接部７については、自分撮り可能状態への移行操作、及びヒンジについての説明と共に後述する。
【００２４】
［１−３．自分撮り可能状態への移行操作］
図１に示した撮像装置１は、図１Ａに示す初期状態から表示部３を上方へ約１８０°まで回動させることができる。撮像装置１の初期状態では通常通りの撮像が可能であり、表示部３を１８０°程度まで回動させた状態では容易に自分撮りが可能である。図２〜６を参照しつつ、撮像装置１における表示部３の回動方法及びその作用について以下に説明する。
【００２５】
先ず、図２に示すように表示部３を回動させる。なお、本明細書における表示部の回動角度は、図１Ａ及び図２Ａのように撮像装置を側面から観察した場合に、初期状態において表示部が格納されていた箇所の撮像装置本体端面と、回動した表示部の端面とが成す角度θである。図２に示した撮像装置１の回動角度は約９０°である。図２に示す撮像装置１のように表示部３を約９０°まで、一般的には８０°〜９０°程度まで回動させることによって、ローアングルのスルー画を確認しつつ撮像が可能になる。
【００２６】
図２Ａに示すように、撮像装置本体２と表示部３とはヒンジ８によって接続されている。また、ヒンジ８の内側には当接部９が設けられている。当接部９については図４及び５を参照しつつ後述する。ヒンジ８の一端部は表示部３の画面が設けられていない部位に形成される接続部１０に回動可能に取り付けられると共に、ヒンジ８の他端部は撮像装置本体２内の保護部４近傍に表示部３の回動中心として取り付けられる。ヒンジ８の一端部は接続部１０に回動可能に取り付けられるので、ハイアングルでの撮像を行う際に表示部３を傾斜させることができるようになっている。
【００２７】
図２Ｂに示すように、表示部３を約９０°まで回動させると、撮像装置本体２の保護部４と表示部３の摺接部７とが接触する。詳述すると、保護部４は、隆起部１１及び平滑部１２を有している。隆起部１１は撮像装置本体２の表面から立設している部位であり、隆起部１１の最大高さ部分が、保護部４において撮像装置本体２の表面から最も離れた部位となる。また、平滑部１２は、隆起部１１の一端部から撮像装置本体２の表面に合流するように延在する部位であり、なだらかでかつ平滑である。よって、図２Ｂに示す状態では、撮像装置本体２における保護部４の隆起部１１と、表示部３の摺接部７とが接触していることになる。
【００２８】
保護部４は、表示部３の摺接部７に押圧されても破損しない材料で形成されていればよい。保護部４の材料としては例えば、樹脂成形体、セラミック、又は金属などが挙げられる。もっとも、撮像装置本体２と保護部４とを別体の部材として形成し組み立てても良く、撮像装置本体２及び保護部４を例えば樹脂の一体成形で形成しても良い。
【００２９】
なお、従来においても、表示部を９０°程度まで回動させると、撮像装置本体に表示部の端部が接触していた。但し、従来は表示部の９０°以上の回動は撮像装置本体に表示部の端部が接触している限り不可能であった。つまり、表示部の端部の回動軌道内に撮像装置本体の一部が含まれていたので、表示部を約１８０°まで回動させることは、表示部が撮像装置本体に干渉してしまうことにより不可能であった。
【００３０】
従来では、表示部を約１８０°まで回動可能にする場合、回動半径の大きいヒンジを用いる形態を採用せざるを得なかった。また、従来においては、撮像装置本体に干渉していた表示部の端部を縮小すると共に携帯電話などで用いられるヒンジ構造を適用する形態、又は、回動中心が二軸である二軸ヒンジを用いる形態なども採用されていた。
【００３１】
しかしながら、二軸ヒンジを用いる形態は、撮像装置の構造として複雑となってしまっていた。更に、初期状態から約１８０°まで回動させる場合と、約１８０°まで回動させた状態から初期状態に戻す場合とにおいて、単に回動させる操作だけでは足りず、特定の回動方法を要していた。つまり、撮像装置の構造が複雑化し、一軸ヒンジで単に回動させる場合に比べて回動操作の工程が多くなっていた。更に、回動半径の大きいヒンジ、又は、携帯電話などで用いられるヒンジなどを用いる形態は、撮像装置自体の大型化、及びヒンジの機構に起因する外装の分割線の露出などが避けられなかった。すなわち、表示部を約１８０°まで回動可能にすることによって、撮像装置の意匠性を犠牲にすることがあった。
【００３２】
撮像装置１は従来例とは異なり、図３に示すように、約９０°の回動角度を超えても表示部３を容易に回動させることができる。特に図３Ｂに示すように、約９０°の回動角度を超えて表示部３を回動させると、表示部３の摺接部７が、保護部４の隆起部１１を押圧する。撮像装置本体２の保護部４は表示部３の摺接部７に押圧されても破損しないように形成されているので、摺接部７から保護部４に作用した押圧力は、反作用でそのまま保護部４が摺接部７を押し返す方向の力に変換される。摺接部７が保護部４から押し返される方向に力を受けると、表示部３はスライド可能であるので、撮像装置本体２から離れる方向に表示部３がスライドすることとなる。図３Ａの表示部３近傍には、画面が設けられる側に表示部３がスライドする方向を直線の矢印として示すと共に、表示部３が回動する方向を湾曲した矢印で示した。更に、本技術に係る撮像装置には、二軸ヒンジなどの複雑な機構を組み込む必要はなく、回動中心が一軸である一軸ヒンジを用いることができる。
【００３３】
表示部３を約９０°の回動角度を超えて回動させると、保護部４は摺接部７に押圧されても破損しないので、図３Ｂに示すように、摺接部７が保護部４の隆起部１１に乗り上げるようにして保護部４の表面を摺接する。
【００３４】
図３に示す状態よりも更に表示部３を回動させると、撮像装置１は図４に示す状態となる。特に図４Ｂに示すように、表示部３の摺接部７が保護部４の隆起部１１を摺接した後に平滑部１２を摺接している。図４に示す状態にあっても、表示部３が回動することによって、図３に示した状態と同様に摺接部７が保護部４を押圧し続けている。また、表示部３の挙動も上述した図３に示した状態の説明と同様である。すなわち、摺接部７から保護部４に作用した押圧力は、反作用でそのまま保護部４が摺接部７を押し返す方向の力となる。摺接部７が保護部４から押し返される方向に力を受けると、表示部３は撮像装置本体２から離れる方向に、図３に示した状態よりも更にスライドすることとなる。
【００３５】
当接部９は保護部４の端面に当接する部材である。詳述すると、当接部９は、ヒンジ８の内側に付設されており、回動角度規制部１３と押圧規制部１４とを有している。回動角度規制部１３は、表示部３の回動完了時の回動角度を規制する部位、つまり表示部３の回動操作の完了位置を決定する部位である。また、押圧規制部１４は、表示部３が約１８０°回動して、回動が完了した状態で更にユーザが表示部３をレンズユニットＬ側に回動させようとしたときに、保護部４の隆起部１１に押し付けられる部位である。つまり、表示部３の回動操作に際して加わった力が表示部３から撮像装置本体２に対して作用するときに、押圧規制部１４と隆起部１１とがその力を受ける部位となる。当接部９は、ユーザの回動操作にかける力に耐え得るように硬質の材料で形成されるのが好ましい。
【００３６】
図５に示す撮像装置１は、表示部３の回動角度が約１８０°に達した状態である。撮像装置１は、表示部３の回動角度が約１８０°に達したときに、当接部９が保護部４の端面、つまり保護部４の隆起部１２に当接するようになっている。更に言うと、図５に示した表示部３の回動操作完了時点では、当接部９の回動角度規制部１３が保護部４の平滑部１２に当接していると共に、当接部９の押圧規制部１４が保護部４の隆起部１２に当接している。
【００３７】
表示部３の回動操作が完了する角度は、回動角度規制部１３と押圧規制部１４とが成す角度のうち、鋭角である角度に応じて決定することができる。よって、本技術に係る撮像装置においては、自分撮りをする際の表示部の回動角度は約１８０°と設定しているが、例えば回動角度を１９０°に設定する場合は回動角度規制部１３と押圧規制部１４とが成す角度のうち、鋭角である方の角度をより小さくすれば良い。
【００３８】
また、表示部３の回動操作が完了しているにも関わらず、ユーザが誤って表示部３を更にレンズユニットＬ側に向かって回動させようとすると、表示部３が撮像装置本体２をレンズユニットＬ側に押圧する力が作用する。しかしながら、押圧規制部１４が隆起部１２に当接していることにより、破損し難い保護部４が押圧する力を受けることとなり、表示部３が約１８０°を超えて回動するのを防止することができる。
【００３９】
図６には、撮像装置１が備える基体１５と、表示部３における有機ＥＬパネルなどの画面、各種電気回路、及び周囲を固める樹脂成形体などを取り除いた後に残る板状材のベースプレートＰとを示した。図２〜５に示したヒンジ８の一端側、換言するとヒンジ８の撮像装置本体２に接続される側とは反対側に基体１５が接続され、表示部３は基体１５上をスライドするようになっている。図６Ａはスライド前のベースプレートＰと基体１５とを示しており、図６Ｂはスライド後のベースプレートＰと基体１５とを示している。図６には図６Ａ及び図６Ｂを横断するように基準線Ｘを示しており、表示部３のスライド前後において、ベースプレートＰの可動部分が移動した距離などが判別し易いようになっている。
【００４０】
表示部３のベースプレートＰは突起部１６を有すると共に、基体１５はスリット１７を有している。突起部１６はスリット１７に隙間無く係合しており、スリット１７内を突起部１６が摺動可能となっている。スリット１７の方向は表示部３のスライド方向を決定し、スリット１７の長軸方向の長さは表示部３のスライド可能範囲を決定することとなる。突起部１６がスリット１７に隙間無く係合していることにより、表示部３の初期状態及びスライド動作にガタつきが生じないので好ましい。
【００４１】
また、基体１５の略中央部には弾性部材１８が付設されている。弾性部材１８は、表示部が図６Ａに示す初期状態から図６Ｂに示す状態に移行する場合、つまり表示部のスライド前からスライド後の状態に移行する場合に、弾性力が生じる部材である。なお、図６Ｂに示す状態から図６Ａに示す初期状態に移行する場合は弾性力を生じても良く、生じなくとも良い。弾性部材１８としては、具体的には例えば板バネ、スプリング及び空気バネなどを適宜選択することができる。
【００４２】
表示部３が図６Ａに示す初期状態から図６Ｂに示す状態に移行する際に弾性部材１８が弾性力を生じるようになっていると、表示部３の初期状態においてガタつきが生じない点で好ましい。更に、表示部の画面がタッチパネルであった場合にスライド可能方向に画面上を指で操作しても表示部が容易にはスライドしないことなどの点でも好ましい。
【００４３】
更に、表示部３がスライド前の状態からスライドし始める状態に移行する際に弾性部材１８が弾性力を生じるようになっていると、表示部３を回動させる際に要する力が回動途中で変化する。詳述すると、表示部３を回動させる際、表示部３の摺接部７が撮像装置本体２の保護部４に当接するまでに要する表示部３を回動させる力よりも、摺接部７が隆起部１１を摺接し始める際に要する表示部３を回動させる力の方が、より大きな力を要する。つまり、表示部３をスライドさせ始めるときに、弾性部材１８の弾性力に抗して表示部３を回動させる必要がある。表示部３がスライドする直前の状態、すなわちローアングルでの撮像が可能な状態から自分撮り可能な状態へ移行し始めたことが、ユーザとしては表示部３の回動に要する力の大小で容易に判別することができるので、撮像装置１の操作性向上に寄与することになる。
【００４４】
以上のように、図２〜６を参照しつつ撮像装置１における表示部３の回動方法及びその作用について説明した。撮像装置１は、表示部３を単に回動させるだけで、保護部４及び摺接部７などによって表示部３がスライドするので、表示部３と撮像装置本体２との干渉によって回動不能状態に陥ることなく、容易に表示部３を約１８０°まで回動させることができる。表示部３を回動させる力が、表示部３を回動させつつスライドさせる力に変換されることにより、ユーザは表示部３をスライドさせることを意識する必要がないので、自分撮り可能な状態にするのが簡便な操作で達成される。
【００４５】
＜２．変形例及び応用例＞
本技術に係る撮像装置は、例えば図７及び８に示すような挟持部１９を付設することができる。なお、図７及び８に示した挟持部１９以外の部材は、図１〜６に示した実施形態の同一部材を示しているので、各部材の詳細な説明は省略する。
【００４６】
図７Ａに示したように挟持部１９は、ヒンジ８の回動軸２０を、摩擦を有するように挟持している。挟持部１９は図１に示した撮像装置本体２の内部に固定される。図７Ｂは挟持部１９を拡大して示している。挟持部１９は、上板２１、下板２２及び囲繞部２３を有する。囲繞部２３は回動軸２０を接触しつつ囲繞しており、囲繞部２３を介して上板２１及び下板２２がビスなどの固定部材によって接続されている。挟持部１９は、上板２１及び下板２２が回動軸２０を挟み込むようにして設けられているので、表示部３を回動させたときに、回動させる力を除いても表示部３の自重で初期状態に戻ることが無く、表示部をその位置で固定して回動角度を保持することができる。
【００４７】
更に、図７及び８に示すように、ヒンジ８の回動軸２０における囲繞部２３と接触する箇所には、切欠部２４が形成されている。図８Ａには初期状態の撮像装置１を示しており、図８Ｂには表示部３を約１８０°回動させた状態の撮像装置１を示している。図８に示すように、撮像装置１のレンズユニットＬの中心軸を水平に向けたときにおける囲繞部２３の上側は平坦に形成され、囲繞部２３の下側は一部外側に張り出すように湾曲して形成されている。
【００４８】
図８Ａに示すように初期状態の撮像装置１では、回動軸２０の切欠部２４と囲繞部２３の平坦部分とが略相対するように配置されている。このような切欠部２４及び囲繞部２３の配置によって、表示部３を回動させた状態から初期状態に戻そうとするときに、回動角度が約５°〜１０°程度まで小さくなると、表示部３が初期状態の位置に自然と戻ろうとする引き込む力が発生する。よって、初期状態で切欠部２４と囲繞部２３の平坦部分が略相対することにより、表示部３の操作性が向上するので好ましい。更に、表示部３が僅かに回動した状態、例えば回動角度が５°程度の状態が維持されることが無くなるので、表示部３の戻し忘れなどを防ぐことができる。
【００４９】
また、図８Ｂに示すように表示部３を自分撮り用に回動させた状態の撮像装置１では、切欠部２４と囲繞部２３の湾曲部分とが略相対するように配置されている。仮に、図８Ｂにおける囲繞部２３の湾曲部分が平坦に形成されていた場合、表示部３を約１８０°回動させたときに、回動角度を小さくする方向に引き込む力が発生する可能性がある。囲繞部２３に湾曲部分を配置することによって、表示部３を約１８０°回動させてもこの引き込む力は発生せず、挟持部１９が摩擦を有するように回動軸２０を挟持しているので、約１８０°の回動角度を維持することができる。
【００５０】
続いて、約１８０°の回動を検知可能な実施形態について、図９を参照しつつ説明する。図９に示すように、表示部３における指かけ部６及び摺接部７の内部に磁石２５が配置されている。また、表示部３が約１８０°回動したときに磁石２５の近傍に位置するようにＭＲセンサ２６が撮像装置本体２内に配置されている。これにより、自分撮り用に表示部３を約１８０°回動させたときに、ＭＲセンサ２６が磁石２５の磁界に反応して回動完了を電気的に検知することができる。
【００５１】
なお、図９に示した実施形態に付加することのできる機能として、例えばＭＲセンサ２６が表示部３の回動完了を検知したときに表示部３に表示される画像をユーザが認識しやすいように反転させる機能、及び、ＭＲセンサ２６が表示部３の回動完了を検知したときに自分撮り用のセルフタイマー機能と連動させる機能などを挙げることができる。
【００５２】
上述した実施形態において、摺接部、保護部、ヒンジ、及び当接部は、回動時及び回動後に各部材の位置が揃うように配置されているが、摺接部、保護部及び当接部が対応する位置に設けられる限り、部材の配置に制限は無い。
【００５３】
例えば、表示部における長辺部の両端側に摺接部を設けると共に、長辺部の略中央部に当接部を一つ設け、更に撮像装置本体には摺接部と当接部とに対応する位置に保護部を３つ設けるようにしても良い。なお、上述の実施形態のように各部材の位置が揃うように配置されていると、撮像装置全体の意匠性は高まるので好ましい。
【００５４】
上述した実施形態においては、撮像装置本体に設けられた保護部が、表示部から撮像装置本体に作用する力を全て受けるようになっているので、部品点数の低減、撮像装置の小型化、撮像装置全体の意匠性の向上などに寄与している。
【００５５】
保護部の表面を摺接する摺接部は、本技術に係る撮像装置においては必須の部材ではないが、回動時に保護部と接触する表示部に傷がつかなくなるので好ましい。
【００５６】
本技術に係る撮像装置において、表示部の端部が撮像装置本体に干渉しているときに、表示部の回動時に表示部の端部が保護部を摺接することによって、表示部が回動しつつスライドする。具体的な実施形態では、図１〜５に示したように、表示部３の摺接部７が保護部４の隆起部１１を乗り越えるように摺接することによって、表示部３が回動しつつスライドする。保護部の形状としては、図面で示した隆起部１１及び平滑部１２を有する畝の様な形状であっても良く、平滑部などを設けない単なる凸形状であっても良い。
【００５７】
本技術に係る撮像装置は、撮像装置の適宜の機能を発揮し得る状態から別の機能を発揮し得る状態に容易に移行することができる。例えば、ローアングルでの撮像が可能な状態から自分撮りが可能な状態への移行、ハイアングルでの撮像が可能な状態から自分撮りが可能な状態への移行、及びローアングルでの撮像が可能な状態からハイアングルでの撮像が可能な状態への移行などが挙げられる。
【００５８】
図１０は、ハイアングルでの撮像用に表示部３を傾斜させた状態から、自分撮り用に表示部３を回動させた状態に移行する場合の撮像装置１の側面図である。
【００５９】
図１０Ａは、ハイアングルでの撮像用に表示部３を傾斜させた状態の撮像装置１である。表示部３を図１０Ａに示した状態にするには、図２に示した撮像装置１における約９０°回動させた表示部３の指かけ部６に指をかけた上で、指かけ部６が設けられている部位を手前に引き出すようにして表示部３を傾斜させれば良い。図面においては詳しく図示していないが、表示部３とヒンジ８との接続は、接続部１０においてある程度の摩擦を有するように接続されていると良い。摩擦を有するように表示部３とヒンジ８とが接続されていると、ヒンジ８に対する表示部３の傾斜角度を適宜調整及び保持することができると共に、表示部３を傾斜させる力を除いても表示部３の自重で傾斜前の状態に戻ることがないので、好ましい。
【００６０】
ハイアングルでの撮像が可能な状態から自分撮りが可能な状態に移行するには、まず図１０Ｂに示すように、表示部３の傾斜状態を傾斜前の状態に戻す。これにより、図２に示したような表示部３を約９０°回動させた状態となる。更に、図１０Ｃ及び１０Ｄに示すように、図２〜５を参照しつつ説明した表示部３の回動操作を行うことによって、撮像装置１は自分撮りが可能な状態となる。
【００６１】
表示部３の回動操作によって表示部３の摺接部７が保護部４を摺接するので、表示部３はスライドする方向に保護部４から力を受ける。表示部３の回動操作が完了すると、表示部３のスライドも完了している。
【００６２】
以上のように、本技術に係る撮像装置は、ハイアングルでの撮像状態から自分撮り状態に移行する操作においても、表示部を意図的にスライドさせる必要がない。
【００６３】
本技術に係る撮像装置の他の実施形態としては、ヒンジが伸縮可能である実施形態を挙げることができる。図１１を参照しつつ、伸縮可能なヒンジを備えた撮像装置の一例について以下に説明する。
【００６４】
図１１に示したヒンジ８１は伸縮可能である。ヒンジ８１の一端部は撮像装置本体２に接続されていると共に、他端部は表示部３の接続部１０に接続されている。ヒンジ８１の一端部から他端部までの間には、ヒンジ８１の回動方向に直交する方向に伸縮可能な機構が設けられている。なお、ヒンジ８１に設けられる伸縮可能な機構には、適宜の弾性部材、例えば図６に示した弾性部材１８のような部材などを用いることができる。ヒンジ８１に用いられる部材が図６に示した弾性部材１８のように、表示部３をスライドさせ始めるために弾性力に抗して表示部３に力を加える必要がある部材であると、表示部３が多少の振動などでも容易にスライドすることがないので好ましい。
【００６５】
図１１Ａはヒンジ８１の回動方向に直交する方向に表示部３がスライドし始めた撮像装置１の側面図であり、図１１Ｂはヒンジ８１の回動方向に直交する方向に表示部３のスライドが完了した撮像装置１の側面図である。
【００６６】
なお、図１１Ｂは表示部３を意図的にスライドさせた状態を示しているが、撮像装置１には表示部３における摺接部７及び撮像装置本体２における保護部４を設けているので、自分撮り状態に移行する際に表示部３を意図的にスライドさせる必要はない。つまり、ヒンジ８１を備える撮像装置１は、表示部３を回動させると、摺接部７及び保護部４によって表示部３に表示部３のスライド方向に力が作用し、ヒンジ８１が表示部３のスライド方向に伸びるので、表示部３がスライドする。
【００６７】
なお、図１〜１１で示した実施形態は、ヒンジ８の接続部１０が表示部３の短辺方向の略中央部に設けられているが、ハイアングルでの撮像が必要無いのであれば、ヒンジ８の接続部１０はヒンジ８の回動中心近傍において設けられていても良い。
【００６８】
以上、本技術の実施形態について具体的に説明したが、本技術は、上述の実施形態に限定されるものではなく、本技術の技術的思想に基づく各種の変形が可能である。
【００６９】
上述の図面に示した実施形態では、ミラーレス一眼カメラを例として説明したが、本技術はこの例に限定されるものではなく、表示部の回動が必要であれば、いわゆるコンパクトデジタルカメラなどに適用することもできる。
【００７０】
また、例えば、上述の実施形態において挙げた構成、方法、工程、形状、材料及び数値などはあくまでも例に過ぎず、本技術の主旨を逸脱しない限り、必要に応じてこれと異なる構成、方法、工程、形状、材料及び数値などを採用してもよい。
【００７１】
なお、本技術は、以下のような構成をとることもできる。
（１）
撮像装置本体と、
撮像装置本体に接続されたヒンジと、
ヒンジを介してスライド可能かつ回動可能に撮像装置本体に設けられた表示部とを備える撮像装置。
（２）
ヒンジの一端側に接続された基体を更に備え、
表示部は基体上をスライドする
（１）に記載の撮像装置。
（３）
撮像装置本体は、表示部の回動時に表示部の端部が摺接する保護部を更に備える
（１）又は（２）に記載の撮像装置。
（４）
表示部は、端部が保護部に摺接することにより、基体上をスライドする
（３）に記載の撮像装置。
（５）
撮像装置本体は、回動前の表示部の外面に対して傾斜する傾斜面を有し、
保護部が傾斜面に設けられている
（３）又は（４）に記載の撮像装置。
（６）
ヒンジの回動中心が一軸である
（１）〜（５）のいずれか１つに記載の撮像装置。
（７）
ヒンジの軸を、摩擦を有するように挟持する挟持部を更に備える
（１）〜（６）のいずれか１つに記載の撮像装置。
（８）
保護部の端面に当接する当接部を更に備える
（３）〜（５）のいずれか１つに記載の撮像装置。
（９）
ヒンジは伸縮可能である
（１）〜（８）のいずれか１つに記載の撮像装置。
【符号の説明】
【００７２】
１      撮像装置
２      撮像装置本体
３      表示部
４      保護部
５１、５２、５３、５４、５５    操作ボタン
６      指かけ部
７      摺接部
８、８１    ヒンジ
９      当接部
１０    接続部
１１    隆起部
１２    平滑部
１３    回動角度規制部
１４    押圧規制部
１５    基体
１６    突起部
１７    スリット
１８    弾性部材
１９    挟持部
２０    回動軸
２１    上板
２２    下板
２３    囲繞部
２４    切欠部
２５    磁石
２６    ＭＲセンサ
Ｌ      レンズユニット
Ｓ      傾斜面
Ｐ      ベースプレート
【図１】
2014045314.tif 000003
【図２】
2014045314.tif 000004
【図３】
2014045314.tif 000005
【図４】
2014045314.tif 000006
【図５】
2014045314.tif 000007
【図６】
2014045314.tif 000008
【図７】
2014045314.tif 000009
【図８】
2014045314.tif 000010
【図９】
2014045314.tif 000011
【図１０】
2014045314.tif 000012
【図１１】
2014045314.tif 000013